(57)【要約】  【課題】冷蔵室の扉の内側に貯水タンクを有する冷水供給装置を備えた冷蔵庫に関して、貯水タンク内の飲料水を所定の温度まで早く冷却する。  【解決手段】冷蔵室の扉の内側に貯水タンク１６を有する冷水供給装置１５と冷気を冷蔵室内に供給する冷蔵室奥面ダクト２３と冷気を冷蔵室内に供給する冷蔵室側面ダクト２８とを設けたことにより、貯水タンク１６に冷気を直接吹き付けることができ、かつその冷気は貯水タンク１６表面を挟み込むように前方と側面を対流するようになるので、貯水タンク１６内の飲料水を所定の温度まで早く冷却することが可能となる。【選択図】図１
2006234222.tif 000002
【特許請求の範囲】
【請求項１】
冷蔵室の扉の内側に貯水タンクを有する冷水供給装置と冷気を冷蔵室内に供給する冷蔵室奥面ダクトと冷気を冷蔵室内に供給する冷蔵室側面ダクトとを設けた事を特徴とする冷水供給装置付き冷蔵庫。
【請求項２】
冷蔵室の扉の内側に貯水タンクを有する冷水供給装置と冷気を冷蔵室内に供給する冷蔵室奥面ダクトと冷気を冷蔵室内に供給する冷蔵室側面ダクトと前面に冷気通路を形成した食品収納棚とを備え、この食品収納棚の冷気通路の左右開口部は冷蔵室側面ダクトと連通し、扉の方向に冷気吹き出し吐出口とを設けた事を特徴とする冷水供給装置付き冷蔵庫。
【請求項３】
冷蔵室の扉の内側に貯水タンクを有する冷水供給装置と冷気を冷蔵室内に供給する冷蔵室奥面ダクトと冷気を冷蔵室内に供給する冷蔵室側面ダクトと前面に冷気通路を形成した食品収納棚とを備え、この食品収納棚の冷気通路の左右開口部は冷蔵室側面ダクトと連通し、タンク上部の方向に冷気吹き出し吐出口とを設けた事を特徴とする冷水供給装置付き冷蔵庫。
【請求項４】
冷蔵室の扉の内側に貯水タンクを有する冷水供給装置と冷気を冷蔵室内に供給する冷蔵室奥面ダクトと冷気を冷蔵室内に供給する冷蔵室側面ダクトと冷蔵室扉土手内に設けられ、冷気をタンクに供給するダクトとを設けた事を特徴とする冷水供給装置付き冷蔵庫。
【請求項５】
冷蔵室の扉の内側に貯水タンクを有する冷水供給装置と冷気を冷蔵室内に供給する冷蔵室奥面ダクトと冷気を冷蔵室内に供給する冷蔵室側面ダクトと冷蔵室扉内に設けられ、内部に冷気通路を形成した扉内ダクトを備え、開口部は冷蔵室側面ダクトを連通し、庫内の方向に冷気吹き出し吐出口とを設けた事を特徴とする冷水供給装置付き冷蔵庫。
【発明の詳細な説明】
【技術分野】
【０００１】
本発明は、冷水供給装置を備えた冷蔵庫に関するものである。
【背景技術】
【０００２】
従来、この種の冷蔵庫は冷蔵室の扉の内側に貯水タンクを有し、扉の外側には取り出し口を設けてあり、利用者は扉を開けることなく冷水を取り出せるようになっている（例えば、特許文献１参照）。
【０００３】
図６は、特許文献１に記載された従来の冷水供給装置付き冷蔵庫の断面図である。図６に示すように冷蔵庫本体１の扉２と、貯水タンク３と、キャップ４と、接続パイプ５と、開閉装置６と、給水パイプ７と、給水レバー８とから構成されている。
【０００４】
以上のように構成された給水装置について、以下その動作を説明する。
【０００５】
まず、冷蔵庫本体１の扉２が開かれ、貯水タンク３のキャップ４が外され、水が給水される。その後、扉２が閉られ、貯水タンク３に給水された水が冷却される。冷却された冷水は、給水レバー８を押す事により開閉装置６が開放し、接続パイプ５を経由し水パイプ７より扉２の外側へ給水される。
【特許文献１】特開２００３−２０７２６６号公報
【発明の開示】
【発明が解決しようとする課題】
【０００６】
しかしながら、上記従来の構成では、貯水タンク３の飲料水が飲み頃の温度にまで冷えるのに長い時間がかかってしまうという課題を有していた。一般的に扉２は冷気の吐出口から遠い位置にあって、冷気の対流が比較的少ない場所であることがその理由のひとつである。また、冷蔵室に収納している食品が多すぎると、冷気の対流はさらに悪化し、所定の温度まで冷えないといる場合もあった。
【０００７】
本発明は、上記従来の課題を解決するもので、利用者が満足できるような十分に冷たい飲料水を早く取り出せる冷水供給装置付き冷蔵庫を供給することを目的とする。
【課題を解決するための手段】
【０００８】
上記従来の課題を解決するために、本発明の冷水供給装置付き冷蔵庫は、冷蔵室の扉の内側に貯水タンクを有する冷水供給装置と冷気を冷蔵室内に供給する冷蔵室奥面ダクトと冷気を冷蔵室内に供給する冷蔵室側面ダクトを備えたものである。
【０００９】
これによって、貯水タンクに冷気を直接吹き付けることができるようになる。
【発明の効果】
【００１０】
本発明の冷水供給装置付き冷蔵庫は、貯水タンク周辺の冷気対流量を増やして、熱交換を促進させることで、貯水タンク内の飲料水を所定の温度まで早く冷却することが可能となる。
【発明を実施するための最良の形態】
【００１１】
請求項１に記載の発明は、冷蔵室の扉の内側に貯水タンクを有する冷水供給装置と冷気を冷蔵室内に供給する冷蔵室奥面ダクトと冷気を冷蔵室内に供給する冷蔵室側面ダクトとを設けた事を特徴とすることにより、貯水タンクに冷気を直接吹き付けることができ、かつその冷気は貯水タンク表面を挟み込むように前方と側面を対流するようになるので、貯水タンク内の飲料水を所定の温度まで早く冷却することが可能となる。
【００１２】
請求項２に記載の発明は、冷蔵室の扉の内側に貯水タンクを有する冷水供給装置と冷気を冷蔵室内に供給する冷蔵室奥面ダクトと冷気を冷蔵室内に供給する冷蔵室側面ダクトと前面に冷気通路を形成した食品収納棚とを備え、この食品収納棚の冷気通路の左右開口部は冷蔵室側面ダクトと連通し、扉の方向に冷気吹き出し吐出口とを設けた事を特徴とすることにより貯水タンクに冷気を直接吹き付けることができ、貯水タンク内の飲料水を所定の温度まで早く冷却することが可能となる。
【００１３】
請求項３に記載の発明は、冷蔵室の扉の内側に貯水タンクを有する冷水供給装置と冷気を冷蔵室内に供給する冷蔵室奥面ダクトと冷気を冷蔵室内に供給する冷蔵室側面ダクトと前面に冷気通路を形成した食品収納棚とを備え、この食品収納棚の冷気通路の左右開口部は冷蔵室側面ダクトと連通し、タンク上部の方向に冷気吹き出し吐出口とを設けた事を特徴とすることにより、貯水タンクに冷気を直接吹き付けることができ、かつその冷気は貯水タンク表面を挟み込むように前方と上面を対流するようになるので、貯水タンク内の飲料水を所定の温度まで早く冷却することが可能となる。
【００１４】
請求項４に記載の発明は、冷蔵室の扉の内側に貯水タンクを有する冷水供給装置と冷気を冷蔵室内に供給する冷蔵室奥面ダクトと冷気を冷蔵室内に供給する冷蔵室側面ダクトと冷蔵室扉土手内に設けられ、冷気をタンクに供給するダクトとを設けた事を特徴とすることにより貯水タンクに冷気を直接吹き付けることができ、かつその冷気は貯水タンク表面を挟み込むように前方と側面を対流するようになるので、貯水タンク内の飲料水を所定の温度まで早く冷却することが可能となる。
【００１５】
請求項５に記載の発明は、冷蔵室扉の内側に貯水タンクを有する冷水供給装置と冷気を冷蔵室内に供給する冷蔵室奥面ダクトと冷気を冷蔵室内に供給する冷蔵室側面ダクトと冷蔵室扉内に設けられ、内部に冷気通路を形成した扉内ダクトを備え、開口部は冷蔵室側面ダクトを連通し、庫内の方向に冷気吹き出し吐出口とを設けた事を特徴とすることにより貯水タンクに冷気を直接吹き付けることができ、かつその冷気は貯水タンク表面を挟み込むように前方と背面を対流するようになるので、貯水タンク内の飲料水を所定の温度まで早く冷却することが可能となる。
【００１６】
以下、本発明の実施の形態について、図面を参照しながら説明する。なお、この実施の形態によってこの発明が限定されるものではない。
【００１７】
（実施の形態１）
図１は本発明の実施の形態１における冷水供給装置付き冷蔵庫の縦断面図である。
【００１８】
図１において、冷蔵庫本体１０は、上部に配置された冷蔵室１１と下部に配置された冷凍室１２とに仕切り壁１３にて仕切られ、冷蔵室１１の冷蔵室扉１４には給水供給装置１５が配設してあり、貯水タンク１６と取り出し口１７と給水パイプ１８と給水ボタン１９と給水バルブ２０とから構成されている。
【００１９】
また、冷蔵室１１の奥面には冷凍サイクルの冷却器２１で生成した冷気をファンモータ２２により冷蔵室内に供給する冷蔵室奥面ダクト２３が上下方向に形成されている。また、冷蔵室１１の中央には、食品を収納できるようにした食品収納棚２４が配設されている。また、２５は内箱で２６は冷蔵庫本体１０と外箱２７の間に充填された断熱材である。２８は断熱材２６内に埋設され内箱２５に取り付けられた側面ダクトである。この側面ダクト２８は、一方が冷蔵室奥面ダクト２３と連通し、この内部には前後方向に冷気通路２９が形成されている。なお、この冷水供給装置１５は、給水ポンプなどの動力を使わない、飲料水の重力を利用した自然落下方式のものである。
【００２０】
以上のように構成された冷蔵庫について、以下その動作・作用を説明する。
【００２１】
冷却器２１で生成された冷気はファンモータ２２により、冷蔵室１１と冷凍室１２に分配して送風される。冷蔵室１１用の冷気は、冷蔵室奥面ダクト２３を通って上方に吹き上げられ、一部は直接冷蔵室１１内に吹き出し、また一部は冷気通路２９に導かれ、吐出口３０から冷蔵室１１内に吹き出す。この冷気は貯水タンク１６の側面に向かって吹き出され、貯水タンク１６を舐めるように通過し、下方へ落ちていく。
【００２２】
この作用を従来の冷水供給装置と比較すると、貯水タンク１６近傍の冷気対流量が増え、かつ冷気と貯水タンク１６とが熱交換する表面積が増えた訳であるから、大幅に早いスピードで飲料水を冷却することが可能となる。その後、利用者が必要に応じて給水ポンプボタン１９を操作すると、給水バルブ２０が開いて、冷やされた飲料水が給水パイプ１８を通過して、取り出し口１７から出てくることになる。
【００２３】
以上のように、本実施の形態においては、冷蔵室の扉の内側に貯水タンクを有する冷水供給装置と冷気を冷蔵室内に供給する冷蔵室奥面ダクトと冷気を冷蔵室内に供給する冷蔵室側面ダクトとを設けた事を特徴とすることにより、貯水タンクに冷気を直接吹き付けることができ、かつその冷気は貯水タンク表面を挟み込むように前方と側面を対流するようになるので、貯水タンク内の飲料水を所定の温度まで早く冷却することが可能となる。
【００２４】
（実施の形態２）
図２は本発明の実施の形態２における冷水供給装置付き冷蔵庫の平面断面図である。実施の形態１と異なる点は、食品収納棚２４前面に扉側に吐出口３１を設けた冷気通路３２と冷気通路３２と側面ダクト２８を接続するシール材３３が新たに追加されたことである。この冷気通路は冷蔵室奥面ダクト２３と連通し、給水タンク１６に吐出口３０を通して冷気が吹き出す構造となっている。
【００２５】
以上のように構成された冷蔵庫について、以下にその動作・作用を説明する。
【００２６】
冷却器２１で生成された冷気は、ファンモータ２２により、冷蔵室１１と冷凍室１２に分配して送風される。冷蔵室１１用の冷気は、冷蔵室奥面ダクト２３を通って上方に吹き上げられ、一部は直接冷蔵室１１内に吹き出し、また一部は冷気通路２９に導かれ、吐出口３０から冷気通路３２に導かれ、吐出口３１から冷蔵室１１内に吹き出す。この冷気は貯水タンク１６の前面に向かって吹き出され、貯水タンク１６を舐めるように通過し、下方へ落ちていく。
【００２７】
この作用を従来の冷水供給装置と比較すると、貯水タンク１６近傍の冷気対流量が増え、かつ冷気と貯水タンク１６とが熱交換する表面積が増えた訳であるから、大幅に早いスピードで飲料水を冷却することが可能となる。
【００２８】
その後、利用者が必要に応じて給水ポンプボタン１９を操作すると、給水バルブ２０が開いて、冷やされた飲料水が給水パイプ１８を通過して、取り出し口１７から出てくることになる。
【００２９】
以上のように、本実施の形態においては、冷蔵室の扉の内側に貯水タンクを有する冷水供給装置と冷気を冷蔵室内に供給する冷蔵室奥面ダクトと冷気を冷蔵室内に供給する冷蔵室側面ダクトと前面に冷気通路を形成した食品収納棚とを備え、この食品収納棚の冷気通路の左右開口部は冷蔵室側面ダクトと連通し、扉の方向に冷気吹き出し吐出口とを設けた事を特徴とすることにより貯水タンクに冷気を直接吹き付けることができ、貯水タンク内の飲料水を所定の温度まで早く冷却することが可能となる。
【００３０】
（実施の形態３）
図３は本発明の実施の形態３における冷水供給装置付き冷蔵庫の平面断面図である。実施の形態１と異なる点は、給水タンク１６が食品収納棚２４の下部に配設され、食品収納棚２４前面にタンク上部に吐出口３４を設けたことである。この冷気通路は冷蔵室奥面ダクト２３と連通し、給水タンク１６に吐出口３４を通して冷気が吹き出す構造となっている。
【００３１】
以上のように構成された冷蔵庫について、以下にその動作・作用を説明する。
【００３２】
冷却器２１で生成された冷気は、ファンモータ２２により、冷蔵室１１と冷凍室１２に分配して送風される。冷蔵室１１用の冷気は、冷蔵室奥面ダクト２３を通って上方に吹き上げられ、一部は直接冷蔵室１１内に吹き出し、また一部は冷気通路２９に導かれ、吐出口３０から冷気通路３２に導かれ、吐出口３４から冷蔵室１１内に吹き出す。この冷気は貯水タンク１６の上方に向かって吹き出され、貯水タンク１６を舐めるように通過し、下方へ落ちていく。
【００３３】
この作用を従来の冷水供給装置と比較すると、貯水タンク１６近傍の冷気対流量が増え、かつ冷気と貯水タンク１６とが熱交換する表面積が増えた訳であるから、大幅に早いスピードで飲料水を冷却することが可能となる。その後、利用者が必要に応じて給水ポンプボタン１９を操作すると、給水バルブ２０が開いて、冷やされた飲料水が給水パイプ１８を通過して、取り出し口１７から出てくることになる。
【００３４】
以上のように、本実施の形態においては、冷蔵室の扉の内側に貯水タンクを有する冷水供給装置と冷気を冷蔵室内に供給する冷蔵室奥面ダクトと冷気を冷蔵室内に供給する冷蔵室側面ダクトと前面に冷気通路を形成した食品収納棚とを備え、この食品収納棚の冷気通路の左右開口部は冷蔵室側面ダクトと連通し、タンク上部の方向に冷気吹き出し吐出口とを設けた事を特徴とすることにより、貯水タンクに冷気を直接吹き付けることができ、かつその冷気は貯水タンク表面を挟み込むように前方と上面を対流するようになるので、貯水タンク内の飲料水を所定の温度まで早く冷却することが可能となる。
【００３５】
（実施の形態４）
図４は本発明の実施の形態４における冷水供給装置付き冷蔵庫の平面断面図である。実施の形態１と異なる点は、扉棚ダクト３５が冷蔵室１４扉内に埋設され、給水タンク１６の側面に吐出口３６が配設されたことである。この冷気通路は冷蔵室奥面ダクト２３と連通し、給水タンク１６に吐出口３５を通して冷気が吹き出す構造となっている。
【００３６】
以上のように構成された冷蔵庫について、以下にその動作・作用を説明する。
【００３７】
冷却器２１で生成された冷気は、ファンモータ２２により、冷蔵室１１と冷凍室１２に分配して送風される。冷蔵室１１用の冷気は、冷蔵室奥面ダクト２３を通って上方に吹き上げられ、一部は直接冷蔵室１１内に吹き出し、また一部は冷気通路２９に導かれ、吐出口３０から冷気通路３５に導かれ、吐出口３６から、この冷気は貯水タンク１６の側面に向かって吹き出され、貯水タンク１６を舐めるように通過し、下方へ落ちていく。
【００３８】
この作用を従来の冷水供給装置と比較すると、貯水タンク１６近傍の冷気対流量が増え、かつ冷気と貯水タンク１６とが熱交換する表面積が増えた訳であるから、大幅に早いスピードで飲料水を冷却することが可能となる。その後、利用者が必要に応じて給水ポンプボタン１９を操作すると、給水バルブ２０が開いて、冷やされた飲料水が給水パイプ１８を通過して、取り出し口１７から出てくることになる。
【００３９】
以上のように、本実施の形態においては、冷蔵室の扉の内側に貯水タンクを有する冷水供給装置と冷気を冷蔵室内に供給する冷蔵室奥面ダクトと冷気を冷蔵室内に供給する冷蔵室側面ダクトと冷蔵室扉土手内に設けられ、冷気をタンクに供給するダクトとを設けた事を特徴とすることにより貯水タンクに冷気を直接吹き付けることができ、かつその冷気は貯水タンク表面を挟み込むように前方と側面を対流するようになるので、貯水タンク内の飲料水を所定の温度まで早く冷却することが可能となる。
【００４０】
（実施の形態５）
図５は本発明の実施の形態５における冷水供給装置付き冷蔵庫の平面断面図である。実施の形態１と異なる点は、扉棚ダクト３５が冷蔵室１４扉内に埋設され、給水タンク１６の奥面に吐出口３７が配設されたことである。この冷気通路は冷蔵室奥面ダクト２３と連通し、給水タンク１６に吐出口３７を通して冷気が吹き出す構造となっている。
【００４１】
以上のように構成された冷蔵庫について、以下にその動作・作用を説明する。
【００４２】
冷却器２１で生成された冷気は、ファンモータ２２により、冷蔵室１１と冷凍室１２に分配して送風される。冷蔵室１１用の冷気は、冷蔵室奥面ダクト２３を通って上方に吹き上げられ、一部は直接冷蔵室１１内に吹き出し、また一部は冷気通路２９に導かれ、吐出口３０から冷気通路３５に導かれ、吐出口３７から、この冷気は貯水タンク１６の奥面に向かって吹き出され、貯水タンク１６を舐めるように通過し、下方へ落ちていく。
【００４３】
この作用を従来の冷水供給装置と比較すると、貯水タンク１６近傍の冷気対流量が増え、かつ冷気と貯水タンク１６とが熱交換する表面積が増えた訳であるから、大幅に早いスピードで飲料水を冷却することが可能となる。その後、利用者が必要に応じて給水ポンプボタン１９を操作すると、給水バルブ２０が開いて、冷やされた飲料水が給水パイプ１８を通過して、取り出し口１７から出てくることになる。
【００４４】
以上のように、本実施の形態においては、冷蔵室扉の内側に貯水タンクを有する冷水供給装置と冷気を冷蔵室内に供給する冷蔵室奥面ダクトと冷気を冷蔵室内に供給する冷蔵室側面ダクトと冷蔵室扉内に設けられ、内部に冷気通路を形成した扉内ダクトを備え、開口部は冷蔵室側面ダクトを連通し、庫内の方向に冷気吹き出し吐出口とを設けた事を特徴とすることにより貯水タンクに冷気を直接吹き付けることができ、かつその冷気は貯水タンク表面を挟み込むように前方と背面を対流するようになるので、貯水タンク内の飲料水を所定の温度まで早く冷却することが可能となる。
【産業上の利用可能性】
【００４５】
以上のように、本発明にかかる冷蔵庫は、冷蔵室内の扉の内側に貯水タンクを有する冷水タンクを有する冷水供給装置を備えた冷蔵庫に関して、貯水タンク内の飲料水を所定の温度まで早く冷却する用途にも適用できる。
【図面の簡単な説明】
【００４６】
【図１】本発明の実施の形態１における冷水供給装置付き冷蔵庫の縦断面図
【図２】本発明の実施の形態２における冷水供給装置付き冷蔵庫の平面断面図
【図３】本発明の実施の形態３における冷水供給装置付き冷蔵庫の平面断面図
【図４】本発明の実施の形態４における冷水供給装置付き冷蔵庫の平面断面図
【図５】本発明の実施の形態５における冷水供給装置付き冷蔵庫の平面断面図
【図６】従来の冷水供給装置付き冷蔵庫の縦断面図
【符号の説明】
【００４７】
１４  冷蔵室扉
１５  給水供給装置
１６  貯水タンク
２３  冷蔵室奥面ダクト
２４  食品収納棚
２８  側面ダクト
２９  冷気通路
３０  吐出口
３２  冷気通路
３４  吐出口
３５  冷気通路
３６  吐出口
３７  吐出口
【図１】
2006234222.tif 000003
【図２】
2006234222.tif 000004
【図３】
2006234222.tif 000005
【図４】
2006234222.tif 000006
【図５】
2006234222.tif 000007
【図６】
2006234222.tif 000008